(57)【要約】【課題】本発明は、衝撃吸収力や粘着力等を備えるとともに、恒常的な加圧状態においても使用可能なシート材を提供する。【解決手段】軟質材料層と、前記軟質材料層よりも上層に積層された平面上に複数の間隙を有する有間隙層とからなるシート材であって、前記軟質材料層は、前記有間隙層への加圧により間隙から該軟質材料層の一部が押し出される程度の硬度で形成された。【選択図】図３
2016064617.tif 000002
【特許請求の範囲】
【請求項１】
軟質材料層と、前記軟質材料層よりも上層に積層された平面上に複数の間隙を有する有間隙層とからなるシート材であって、
前記軟質材料層は、前記有間隙層への加圧により前記間隙から該軟質材料層の一部が押し出される程度の硬度で形成されたことを特徴とするシート材。
【請求項２】
前記有間隙層は、前記軟質材料層を挟んで、該軟質材料層の両面に設けられたことを特徴とする請求項1に記載のシート材。
【請求項３】
前記有間隙層の表面には、粘着層が設けられたことを特徴とする請求項１又は２に記載のシート材。
【請求項４】
前記有間隙層は、メッシュ層であることを特徴とする請求項１、２又は３に記載のシート材。
【請求項５】
前記軟質材料層は、ゲル層であることを特徴とする請求項１、２、３又は４に記載のシート材。
【請求項６】
前記メッシュ層は、網の目が０．１mm以上であることを特徴とする請求項４又は５に記載のシート材。
【請求項７】
前記軟質材料層は、ＪＩＳ  Ｋ６２５３に規定されるタイプＡデュロメータ硬度が８０°以下であることを特徴とする請求項１、２、３、４、５又は６に記載のシート材。
【発明の詳細な説明】
【技術分野】
【０００１】
本発明は、恒常的な加圧状態においても使用可能なシート材に関する。
【背景技術】
【０００２】
従来から、保護対象物に対する外部からの衝撃や振動を和らげるために緩衝材が用いられている。緩衝材に用いられる素材としては、ゴムや綿及び布といった弾力性のある素材や、発泡スチロールや気泡緩衝材が存在する。その他、圧力を分散させつつ抗力を発揮することで、保護対象物にかかる衝撃を吸収する衝撃吸収ゲルのようなゲル化素材もみられる。このようなゲル化素材を用いた技術として、下記の特許文献１が開示されている。
【先行技術文献】
【特許文献】
【０００３】
【特許文献１】特開２００３−１４０４０号公報
【発明の概要】
【発明が解決しようとする課題】
【０００４】
しかし、上記の技術は、保護対象物に圧力が恒常的にかかる状態で用いる場合には適していない。なぜなら、ゲル化素材をシート材の最上層に配した場合において、シート材を加圧するとゲル化素材は圧力により凹状態になるため、保護対象物のバランスを保つことが困難になるからである。
たとえば、テレビの転倒を防止すべく、ゲル化素材を最上層に配したシート材をテレビの足の下に設置した場合において、何らかの原因で一の足に強い圧力がかかると、その足の下に設置したゲル化素材が大きく変形することとなり、その結果テレビを支えるバランスが崩れてテレビが転倒してしまうことも想定される。
【０００５】
そこで本発明は、衝撃吸収力や粘着力等を備えるとともに、恒常的な加圧状態においても使用可能なシート材を提供することを課題とする。
【課題を解決するための手段】
【０００６】
上記課題を解決するために、本発明は、以下のような構成を備える。
（第１の発明）
本発明のうち第１の発明は、軟質材料層16と、前記軟質材料層16よりも上層に積層された平面上に複数の間隙を有する有間隙層15とからなるシート材10であって、軟質材料層16は、有間隙層15への加圧により前記間隙から軟質材料層16の一部が押し出される程度の硬度で形成されたことを特徴とする。
軟質材料層16とは、圧力がかかるとその圧力を分散し、抗力を発揮することで衝撃を吸収する層であり、シリコンゴム、熱可塑性エラストマー又はウレタンゲルなどの軟質かつ衝撃吸収力を備えた素材を適宜選択して形成される。なお、軟質材料層16の素材は、上記に列挙した素材に限定されるものではない。
【０００７】
有間隙層15とは、軟質材料層16よりも上層に積層された平面上に複数の間隙を有する層であって、軟質材料層16の素材よりも硬度の高い素材から形成されている。このとき、有間隙層15の素材は特に限定するものではないが、加圧により撓みが発生する程度の硬度を有する素材から適宜選択して形成されるものとする。
上記の構成によれば、軟質材料層16は、有間隙層15への加圧により間隙から軟質材料層16の一部が押し出される。そのため、たとえばシート材10に握力を加えた場合では、有間隙層15の間隙から押し出された軟質材料層16の一部が手に接触し、その接触部分のグリップ力を向上させることができる。
【０００８】
（第２の発明）
本発明のうち第２の発明は、前記した第１の発明の特徴点に加え、有間隙層15は、軟質材料層16を挟んで、軟質材料層16の両面に設けられたことを特徴とする。
第２の発明は、有間隙層15を軟質材料層16の両面に設けたものである。有間隙層15が両面に設けられたことで、両方向からの加圧に対しても各々の面から軟質材料層16の一部が押し出されるため、緩衝材としての用途の幅が広がるものとなる。
（第３の発明）
本発明のうち第３の発明は、前記した第１、第２の発明の特徴点に加え、有間隙層15の表面には、粘着層17が設けられたことを特徴とする。
【０００９】
第３の発明は、有間隙層15の表面に粘着層17を積層したものである。有間隙層15に粘着力が加わることで、軟質材料層16と有間隙層15とで保護対象物を支持可能となるため、第１の発明においてはさらなるグリップ力の向上を図ることができる。また、第２の発明においては緩衝材としての用途に加え吸着材としての用途が加わることによって、保護対象物の転倒防止や落下防止を目的とする滑り止めシートとしても用いることができる。
（第４の発明）
本発明のうち第４の発明は、前記した第１、第２、第３の発明の特徴点に加え、有間隙層15は、メッシュ層であることを特徴とする。
【００１０】
第４の発明は、有間隙層15をメッシュ層に特定したものである。メッシュ層を用いることにより、間隙の大きさが均等になるため、加圧によって軟質材料層16の一部が間隙から押し出される量のばらつきが減少する。そのため、シート材10の何れの箇所を加圧しても同様の衝撃吸収力、粘着力及びグリップ力を得ることができる。
（第５の発明）
本発明のうち第５の発明は、前記した第１、第２、第３、第４の発明の特徴点に加え、軟質材料層16は、ゲル層であることを特徴とする。
【００１１】
第５の発明は、軟質材料層16をゲル層に特定したものである。ゲル層を用いることにより、柔軟性及び弾力性に富むこととなるため、さらにグリップ力を向上させることができる。またゲル素材は、一般的に感触が心地よいとされているため、たとえばボール状に形成した健康器具などとしても用いることができる。
（第６の発明）
本発明のうち第６の発明は、前記した第４、第５の発明の特徴点に加え、メッシュ層は、網の目が０．１mm以上であることを特徴とする。
【００１２】
第６の発明は、メッシュ層の網の目の大きさを特定したものである。網の目の大きさを０．１mm以上としたのは、０．１mm未満であると網の目が細かすぎて、軟質材料層16の一部が加圧によっても押し出されないためである。なお、メッシュ層の網の目の大きさの上限は、特に限定されるものではないが、本発明の作用効果を達成すべく、３mm以下であることが望ましい 。
（第７の発明）
本発明のうち第７の発明は、前記した第１、第２、第３、第４、第５、第６の発明の特徴点に加え、軟質材料層16は、ＪＩＳ  Ｋ６２５３に規定されるタイプＡデュロメータ硬度が８０°以下であることを特徴とする。
【００１３】
第７の発明は、軟質材料層16の硬度を特定したものである。タイプＡデュロメータ硬度が８０°以下としたのは、タイプＡデュロメータ硬度が８０°よりも大きいと通常の使用による加圧では、軟質材料層16の一部が有間隙層15から押し出されなくなるためである。
【発明の効果】
【００１４】
本発明に係るシート材は、上述のように構成されているので、衝撃吸収力、粘着力及びグリップ力を備えるとともに、恒常的な加圧状態でも使用が可能となっている。そのため、たとえば、衝撃吸収力及び粘着力を活かしてテレビの転倒防止を目的としてテレビの足の下に設置する場合や衝撃吸収力、粘着力及びグリップ力を活かしてゴルフのグリップなどに用いる場合に好適なものとされる。
【図面の簡単な説明】
【００１５】
【図１】本発明の各実施形態に係るシート材の表面側の平面図である。
【図２】本発明の第１の実施形態に係るシート材の正面断面図である。
【図３】本発明の第１の実施形態に係るシート材の加圧時における正面断面図である。
【図４】本発明の第２の実施形態に係るシート材の正面断面図である。
【図５】本発明の第３の実施形態に係るシート材の正面断面図である。
【図６】本発明の第３の実施形態に係るシート材の加圧時における正面断面図である。
【発明を実施するための最良の形態】
【００１６】
以下、図面を参照しつつ、本発明の各実施形態を説明する。
また、本発明において、シート材10及びその構成部品についての「表面」とはメッシュ部11を備える側を表し、「裏面」とはその反対側を表すものとする。
なお、本発明の実施形態に係る図１においてシート材10を方形として表しているが、特にこの形状に限定されるものではなく、用途に応じた形状で形成することが可能である。さらに、図１に示すシート材10は、各実施形態において共通する。
（第１の実施形態）
（シート材10の構成）
図１に示すように、本発明の各実施形態に係るシート材10は、その下層に、圧がかかるとその圧力を分散し、抗力を発揮することで衝撃を吸収するゲル部12と、ゲル部12よりも上層に積層され、平面上に複数の間隙が形成されたメッシュ部11とを有するものである。また、ゲル部12の表面には、粘着層17が積層されている。さらに、各メッシュ部11の間には、網目状の間隙部13が形成されている。
【００１７】
このとき、ゲル部12は、シリコンゴム、熱可塑性エラストマー又はウレタンゲルなどの軟質かつ衝撃吸収力を備えた素材を適宜選択して形成される。なお、ゲル部12の素材は、上記に列挙した素材に限定されるものではない。
また、メッシュ部11の素材は特に限定するものではないが、ゲル部12の素材よりも硬度が高く、かつ、加圧により撓みが発生する程度の硬度を有する素材から適宜選択して形成されるものとする。
図２は、第１の実施形態に係るシート材10の正面断面図であり、下層には、ゲル部12が存し、そのゲル部12の上層にはメッシュ部11が積層されている。このとき、シート材10の表面方向から加圧されると、ゲル部12が支持物14（たとえば、テーブル）に接触し、この接触部分が支持物14に支持されることにより、ゲル部12の一部が間隙部13から押し出される構造となっている。
【００１８】
（シート材10の特徴）
続いて、第１の実施形態に係るシート材10の特徴について説明する。
上述したように、シート材10の表面方向から加圧するとゲル部12の一部が間隙部13から押し出される構造となっており、実際に加圧物20（たとえば、指先）により加圧した状態を示すと、図３のようになる。
すなわち、加圧によりゲル部12が支持物14に接触して支持されることにより、メッシュ部11が有する間隙部13からゲル部12が押し出され、シート材10を加圧している加圧物20に接触することとなる。
【００１９】
そのため、たとえば、シート材10に握力を加えた場合には、間隙部13から押し出されたゲル部12の一部が手に接触することで、その接触部分のグリップ力を向上させることができるため、ゴルフのグリップなどに用いると好適なものと考えられる。
さらに、上記のようなスポーツ用途としての使用においても、シート材10の最上層は、メッシュ部11の存在により空気流通が発生することで、継続した使用においても手のひらの発汗を抑制可能となり、汗によるグリップ力の低下が生じることも少ない。
また、テレビの転倒を防止すべくテレビの足の下にシート材10を設置した場合においても、ゲル部12よりも上層にメッシュ部11を設けたことで、テレビからの圧力をゲル部12とメッシュ部11とで分散することができる。
【００２０】
このとき、何らかの原因で一の足に強い圧力がかかり、その足の下に設置したゲル部12が大きく変形したとしても、ゲル部12よりも硬質な素材から形成されているメッシュ部11は大きく変形することはない。さらに、シート材10への加圧により間隙部13から押し出されたゲル部12の一部がテレビと接触することと、メッシュ部11の表面に積層された粘着層17の粘着作用とにより、テレビとシート材10とを粘着させることができる。
そのため、本発明の実施形態に係るシート材10を用いることで、テレビが転倒する可能性を低く抑えることができるものとなる。
【００２１】
（第２の実施形態）
以下、図４を参照して、本発明の実施形態に係る第２の実施形態を説明する。また、第２の実施形態において、第１の実施形態と同一の構成要素には、第１の実施形態において用いた符号と同一の符号を用いている。そして、第１の実施形態と重複する部分は説明を省略し、第２の実施形態における特徴点を中心に説明する。
図４に示すように、第２の実施形態に係るシート材10は、メッシュ部11の表面には、粘着層17が設けられたことを特徴とする。メッシュ部11に粘着力が加わることで、ゲル部12とメッシュ部11とで保護対象物を支持可能となり、ゲル部12の特質である衝撃吸収力に粘着力が加わったシート材10を提供することが可能となる。
【００２２】
（第３の実施形態）
以下、図５及び図６を参照して、本発明の実施形態に係る第３の実施形態を説明する。また、第３の実施形態において、第１、第２の実施形態と同一の構成要素には、第１、第２の実施形態において用いた符号と同一の符号を用いている。そして、第１、第２の実施形態と重複する部分は説明を省略し、第３の実施形態における特徴点を中心に説明する。
図５に示すように、第３の実施形態に係るシート材10は、メッシュ部11がゲル部12を挟んで、ゲル部12の両面に設けられたことを特徴としている。メッシュ部11が両面に設けられたことで、両方向からの圧力によって各々の面からゲル部12の一部が押し出されるため（図６参照。）、緩衝材や粘着シートとしての用途の幅が広がるものとなる。
【００２３】
なお、第３の実施形態においても、用途に応じて、メッシュ部11の表面に粘着層17を設けることも可能である。
【符号の説明】
【００２４】
10  シート材                                    11  メッシュ部  
12  ゲル部                                      13  間隙部  
14  支持物                                      15  有間隙層  
16  軟質材料層                                  17  粘着層  
20  加圧物  
【図１】
2016064617.tif 000003
【図２】
2016064617.tif 000004
【図３】
2016064617.tif 000005
【図４】
2016064617.tif 000006
【図５】
2016064617.tif 000007
【図６】
2016064617.tif 000008